(57)【要約】      （修正有）【課題】通常のテレビに簡単な回路を付設するのみで受信中の任意の時点の画面を一時静止画で記録して表示可能にしてその内容を確認可能にしたテレビを提供する。【解決手段】デジタルボードが、映像／音声を分離するＤＥＭＵＸ回路とＭＰＥＧ−２デコードとメガピクセルグラフィックエンジンとデジタルフォーマットコンバータとを順次連結し、デジタルフォーマットコンバータからは液晶ディスプレイに映像信号を出力しスピーカーに音声信号を出力するテレビにおいて、無線リモートコントロール器５００に画像再生ボタン及び画像停止ボタンを設け、デジタルフォーマットコンバータに常に最新画像迄の所定時間分の画像を記録する画像記録装置を設け、画像記録装置は無線リモートコントロール器から画像再生信号を入力するとその時点までの所定時間遡って記録画像を液晶ディスプレイに出力し無線リモートコントロール器から画像停止信号を入力すると記録画像の出力を停止すると共に再び新規画像の記録を開始する手段を備える。【選択図】図１
0003230833.tif 000002
【実用新案登録請求の範囲】
【請求項１】
地上デジタルアンテナ及びＢＳ／１１０度ＣＲデジタルアンテナとデジタルボードと液晶ディスプレイとスピーカーからなり、前記デジタルボードは、地上デジタルアンテナ及びＢＳ／１１０度ＣＲデジタルアンテナからの信号を入力するフロントエンド回路と、フロントエンド回路からの信号を受けて映像／音声を分離して液晶ディスプレイに映像表示しスピーカーに音声を出すデジタルＴＶ用システムＬＳＩと、無線リモートコントロール器とからなり、前記フロントエンド回路は、地上デジタルチューナＷＤＴとその復調回路ＤＯＤＯＦＤＭ及びＢＳ／１１０度ＣＲデジタルチューナとその復調回路ＱＰＳＫとからなり、前記デジタルＴＶ用システムＬＳＩは、前記各復調回路からの信号を入力して映像／音声を分離するＤＥＭＵＸ回路とＭＰＥＧ−２デコードとメガピクセルグラフィックエンジンとデジタルフォーマットコンバータとを順次連結したものでありデジタルフォーマットコンバータからは液晶ディスプレイに映像信号を出力しスピーカーに音声信号を出力するテレビにおいて、
前記無線リモートコントロール器に画像再生ボタン及び画像停止ボタンを設け、前記デジタルフォーマットコンバータに常に最新画像迄の所定時間分の画像を記録する画像記録装置を設け、前記画像記録装置は前記無線リモートコントロール器の画像再生ボタンからの画像再生信号を入力するとその時点までの所定時間遡っての既記録画像を液晶ディスプレイに出力して表示し前記無線リモートコントロール器の画像停止ボタンからの画像停止信号を入力すると既記録画像の出力を停止すると共に再び新規画像の記録を開始する手段を備えたことを特徴とするテレビ。
【考案の詳細な説明】
【技術分野】
【０００１】  本考案は、テレビジョン（以下単にテレビと称する）の受信中の任意の時点でそこからの所定の既経過時間内の画面を表示可能にしたテレビに関するものである。
【背景技術】
【０００２】  テレビは、通常次記の回路構成であり機能として、受信中の任意の時点でそこからの所定の既経過時間内の画面を表示可能にする機能は無い。【０００３】  一般のテレビの回路構成は概略、地上デジタルアンテナ及びＢＳ／１１０度ＣＲデジタルアンテナとデジタルボードと液晶ディスプレイとスピーカーからなる。
デジタルボードは、地上デジタルアンテナ及びＢＳ／１１０度ＣＲデジタルアンテナからの信号を入力するフロントエンド回路と、フロントエンド回路からの信号を受けて映像／音声を分離して液晶ディスプレイに映像表示しスピーカーに音声を出すデジタルＴＶ用システムＬＳＩからなる。
該フロントエンド回路は、地上デジタルチューナＷＤＴ（Ｗｉｄｅ  Ｄｙｎａｍｉｃ  Ｒａｎｇｅ  Ｄｉｇｉｔａｌ  Ｔｕｎｅｒ）とその復調回路ＤＯＤＯＦＤＭ（Ｄｙｎａｍｉｃ  ａｄａｐｔｉｖｅ  ｗｉｎｄｏｗ  ＯＦＤＭ  Ｄｅｍｏｄｕｌａｔｏｒ）及びＢＳ／１１０度ＣＲデジタルチューナとその復調回路ＱＰＳＫ（Ｄｙｎａｍｉｃ  ａｄａｐｔｉｖｅ  ｗｉｎｄｏｗ  ＯＦＤＭ  Ｄｅｍｏｄｕｌａｔｏｒ）と
からなる。
該デジタルＴＶ用システムＬＳＩは、前記各復調回路からの信号を入力して映像／音声を分離するＤＥＭＵＸ（ＤＥｍｏｄｕｌａｔｅ  ａｎｄ  ＭＵｌｔｉｐｌｅＸ）回路とＭＰＥＧ−２デコードとメガピクセルグラフィックエンジンとデジタルフォーマットコンバータとを順次連結したものでありデジタルフォーマットコンバータからは液晶ディスプレイに映像信号を出力しスピーカーに音声信号を出力する。【０００４】  そこで前記例のテレビの回路では、例えばテレビのある番組を受信中にある時間遡って画面を見ることが出来ず不便さを強く感じることが多い。
そしてこれのみのために通常の市販のテープ／ＤＶＤ録画装置を併設するのも好ましくない。
【考案の概要】
【考案が解決しようとする課題】
【０００５】  本考案は、通常のテレビに簡単な回路を付設するのみで受信中の任意の時点から所定時間内の画面を遡って表示可能にしてその内容を確認可能にしたテレビを提供する。
【課題を解決するための手段】
【０００６】  上記課題を満足させる本考案のテレビにおける主な技術構成は、次の（１）の通りである。
（１）、地上デジタルアンテナ及びＢＳ／１１０度ＣＲデジタルアンテナとデジタルボードと液晶ディスプレイとスピーカーからなり、前記デジタルボードは、地上デジタルアンテナ及びＢＳ／１１０度ＣＲデジタルアンテナからの信号を入力するフロントエンド回路と、フロントエンド回路からの信号を受けて映像／音声を分離して液晶ディスプレイに映像表示しスピーカーに音声を出すデジタルＴＶ用システムＬＳＩと、無線リモートコントロール器とからなり、前記フロントエンド回路は、地上デジタルチューナＷＤＴとその復調回路ＤＯＤＯＦＤＭ及びＢＳ／１１０度ＣＲデジタルチューナとその復調回路ＱＰＳＫとからなり、前記デジタルＴＶ用システムＬＳＩは、前記各復調回路からの信号を入力して映像／音声を分離するＤＥＭＵＸ回路とＭＰＥＧ−２デコードとメガピクセルグラフィックエンジンとデジタルフォーマットコンバータとを順次連結したものでありデジタルフォーマットコンバータからは液晶ディスプレイに映像信号を出力しスピーカーに音声信号を出力するテレビにおいて、
前記無線リモートコントロール器に画像再生ボタン及び画像停止ボタンを設け、前記デジタルフォーマットコンバータに常に最新画像迄の所定時間分の画像を記録する画像記録装置を設け、前記画像記録装置は前記無線リモートコントロール器の画像再生ボタンからの画像再生信号を入力するとその時点までの所定時間遡っての既記録画像を液晶ディスプレイに出力して表示し前記無線リモートコントロール器の画像停止ボタンからの画像停止信号を入力すると既記録画像の出力を停止すると共に再び新規画像の記録を開始する手段を備えたことを特徴とするテレビ。
【考案の効果】
【０００７】  本考案のテレビは通常の市販のテープ／ＤＶＤ録画装置を併設したり、或いは高価な録画装置内蔵のテレビを購入することなく前記画像記録装置を付設したことにより、受信中の任意の時点から遡っての所定時間内の既録画面を表示可能にしてその内容を確認できる等の優れた作用効果を呈するものである。
【図面の簡単な説明】
【０００８】
【図１】本考案のテレビの実施例を示すブロック線図である。
【考案を実施するための形態】
【０００９】  考案を実施するための形態を図１に示す実施例により詳細に説明する。
【実施例】
【００１０】  図１において、本例の基本回路は、地上デジタルアンテナ１０１及びＢＳ／１１０度ＣＲデジタルアンテナ１０２とデジタルボード２００と液晶ディスプレイ３００とスピーカー４００とリモートコントロール５００とからなる。
デジタルボード２００は、地上デジタルアンテナ１０１及びＢＳ／１１０度ＣＲデジタルアンテナ１０２からの信号を入力するフロントエンド回路２１０と、フロントエンド回路２１１からの信号を受けて映像／音声を分離して液晶ディスプレイ３００に映像表示しスピーカー４００に音声を出すデジタルＴＶ用システムＬＳＩ２２０からなる。
フロントエンド回路２１０は、地上デジタルチューナＷＤＴ２１１とその復調回路ＤＯＤＯＦＤＭ２１２及びＢＳ／１１０度ＣＲデジタルチューナ２１３とその復調回路ＱＰＳＫ２１４とからなる。
デジタルＴＶ用システムＬＳＩ２２０は、前記各復調回路２１２、２１４からの信号を入力して映像／音声を分離するＤＥＭＵＸ回路２２１とＭＰＥＧ−２デコード２２２とメガピクセルグラフィックエンジン２２３とデジタルフォーマットコンバータ２２４とを順次連結したものでありデジタルフォーマットコンバータ２２４からは液晶ディスプレイ３００に映像信号を出力しスピーカー４００に音声信号を出力する。【００１１】  前記無線リモートコントロール器５００には、画像再生ボタン５０１及び画像停止ボタン５０２を設ける。前記デジタルフォーマットコンバータ２２４に常に最新画像迄の所定時間分の画像を記録する画像記録装置２３０を設ける。
画像記録装置２３０は、前記無線リモートコントロール器５００の画像再生ボタン５０１からの画像再生信号を入力するとその時点までの所定時間遡っての既記録画像を液晶ディスプレイ３００に出力して表示し、次いで前記無線リモートコントロール器５００の画像停止ボタン５０２を押すと画像停止信号を入力して既録画面の出力を停止すると共に再び新規画像の記録を開始する既録画面再生・停止手段２３０−１を備える。
これで受信中いつの時点でもその時点から所定時間遡って既録画面をリアルタイムでその画面を表示することが可能となり極めて利便性のあるテレビに豹変するのである。
【産業上の利用可能性】
【００１２】  本考案は、前述の効果及び実施例に記載の通り優れた作用効果を呈して一般家庭におけるテレビの活用は勿論、テレビ業界及びＣＭ業界への寄与と発展に貢献すること多大なものがある。
【符号の説明】
【００１３】１０１：地上デジタルアンテナ
１０２：ＢＳ／１１０度ＣＲデジタルアンテナ
２００：デジタルボード
２１０：フロントエンド回路
２１１：地上デジタルチューナＷＤＴ
２１２：復調回路ＤＯＤＯＦＤＭ
２１３：ＢＳ／１１０度ＣＲデジタルチューナ
２１４：復調回路ＱＰＳＫ
２２０：デジタルＴＶ用システムＬＳＩ
２２１：ＤＥＭＵＸ回路
２２２：ＭＰＥＧ−２デコード
２２３：メガピクセルグラフィックエンジン
２２４：デジタルフォーマットコンバータ
２３０：停止画像記録／再生回路
３００：液晶ディスプレイ
４００：スピーカー
５００：リモートコントロール
５０１：画像再生ボタン
５０２：画像停止ボタン
２３０−１：既記録画像再生・停止手段
【図１】
0003230833.tif 000003